(57)【要約】      （修正有）【課題】マヨネーズが満杯近くの時にも倒れない倒立式支持台を提供する。【解決手段】マヨネーズ等の容器の先端を収納可能な凹部または孔を有する支持台１０と、そこから上方に延びる支持脚２０と、その先端に逆さにしたマヨネーズ容器のその長手方向重心位置近傍の容器胴部を取り巻く支持リング３０とからなり、上記支持台の外周を取り巻く面積は上記リングの外周を取り巻く面積と同一又はそれ以上であって、マヨネーズ等容器を逆さにしてリング３０に挿通し、支持台凹部または孔にマヨネーズ等容器先端を遊かん状態で収納させ、使い勝手がよく、なかなか倒れない倒立式支持台である。【選択図】図１
0003150831.tif 000002
【実用新案登録請求の範囲】
【請求項１】
マヨネーズ等の容器の先端を収納可能な凹部または孔を有する支持台(10)と、そこから上方に延びる支持脚(20)と、その先端に逆さにしたマヨネーズ等容器のその長手方向重心位置近傍の容器胴部を取り巻くリング(30)とからなり、上記支持台の外周を取り巻く面積(S1)は上記リングの外周を取り巻く面積(S2)と同一又はそれ以上であって、マヨネーズ等容器を逆さにしてリング(30)に挿通し、支持台凹部または孔(11)にマヨネーズ等容器先端を遊かん状態で収納させることを特徴とするプラスチック製マヨネーズ等容器の倒立式支持台。
【請求項２】
支持台のエッジ(E)から上方に延びる垂線(H)と該エッジ(E)とマヨネーズ等容器の重心(G)を結ぶ線分のなす角度( α)が３０°前後またはそれ以上である請求項１記載のプラスチック製マヨネーズ等容器の倒立式支持台。
【考案の詳細な説明】
【技術分野】
【０００１】
本考案は、プラスチック製マヨネーズ等容器の倒立式支持台に関する。
【背景技術】
【０００２】
マヨネーズ容器は先端のキャップ側の口部は細く、底部に向かって膨出する形状となっているため、食卓では先端キャップを上方にして置くのが普通である。しかしながら、容器内部のマヨネーズの量が少なくなったとき、先端キャップを上方にして立て置くと内容物が流下してキャップ側に空気が溜まり、再使用する場合は一旦先端側にマヨネーズを集め、そして押し出すという作業を必要とし、極めて使い勝手が悪いという問題がある。
【０００３】
そこで、マヨネーズの内容量が少ない時、マヨネーズ容器を逆さに倒立させて置き、キャップ側にマヨネーズを集め絞り出しやすくする為逆さにして置いておく時マヨネーズ立てが提案されている（特許文献１）。
【先行技術文献】
【特許文献】
【０００４】
【特許文献１】実開平６−２１４７８号
【考案の概要】
【考案が解決しようとする課題】
【０００５】
しかしながら、食卓にマヨネーズ容器を立て置くのはマヨネーズの内容量が少なくなった時だけでなく、マヨネーズが満杯近くの時を含めて常時必要であるが、従来のマヨネーズ立てはマヨネーズ内容量が少ない時にのみ対応して逆さに立て置くようにしてあるため、マヨネーズが満杯近くの時には倒れやすく使い勝手が悪いという問題があった。
【０００６】
本考案は、かかる問題点に鑑み、マヨネーズが満杯近くの時にも倒れない倒立式支持台を提供することを課題とする。
【課題を解決するための手段】
【０００７】
そこで、鋭意研究の結果、満杯近くのマヨネーズ容器が倒れやすいのは倒立させたときの重心位置が上方にあるためであり、本考案はマヨネーズ容器の胴部支持位置をこの重心位置近傍とすることが肝要であることに着目してなされたもので、本考案はマヨネーズの容器の先端を収納可能な凹部または孔を有する支持台１０と、そこから上方に延びる支持脚２０と、その先端に逆さにしたマヨネーズ容器のその長手方向重心位置近傍の容器胴部を取り巻く支持リング３０とからなり、上記支持台の外周を取り巻く面積Ｓ１は上記リングの外周を取り巻く面積Ｓ２と同一又はそれ以上であって、マヨネーズ容器を逆さにしてリング３０に挿通し、支持台凹部または孔１１にマヨネーズ容器先端を遊かん状態で収納させることを特徴とするものである。本考案においては、倒立時の支持台のエッジＥから上方に延びる垂線Ｈと該エッジＥとマヨネーズ容器の重心Ｇを結ぶ線分のなす角度αが３０°前後またはそれ以上となるのが好ましい。
【考案の効果】
【０００８】
マヨネーズ容器１が倒れるにはその重心ＧとエッジＥとを結ぶ線ＧＥがエッジＥの垂線より外側になる必要があるが（図２一点鎖線参照）、支持リング３０がマヨネーズ容器１の胴部３をその長手方向重心Ｇ近傍を把持しているので倒れにくくなる一方、マヨネーズ容器１の胴部底付近を持って取り出しやすい（図１参照）。また、図２に示すようにマヨネーズ容器１が傾き始めると、先端２が支持台収納孔１１にさらに潜り込むので重心Ｇが支持リング３０に対して下降し、さらに倒れにくくなる。そのため、マヨネーズを使うたびにマヨネーズ容器を胴部を摘まんで逆さにして差し込んでおくだけで倒れないでマヨネーズを絞り出しやすい状態に保つことができる。
【図面の簡単な説明】
【０００９】
【図１】本考案に係るマヨネーズ倒立式支持台の斜視図である。
【図２】図１に示す倒立式支持台の動作説明図である。
【図３】支持脚１本で支持リングを支持する実施例の側面（ａ）および平面（ｂ）を示す図である。
【図４】支持脚２本で支持リングを支持する実施例の側面（ａ）および平面（ｂ）を示す図である。
【考案を実施するための形態】
【００１０】
図１は本考案に係るプラスチック製マヨネーズ等容器の倒立式支持台の好ましい実施例で、高さ１８．５ｃｍの容量４００ｃｃのマヨネーズ容器１を収納する倒立式支持台で、支持台１０と支持脚２０と支持リング３０とからなる。支持台１０はマヨネーズ容器１の先端キャップ２を収納可能な孔１１を形成し、それを取り囲むように一対のコの字形状の枠材１２．１２を一対の連結枠１３で結合してなる。この支持台１０の連結枠１３からは斜め外方に広がりながら上方に支持脚２０が延び、その先端に支持リング３０が取り付けられている。
【００１１】
上記支持リングは逆さにしたマヨネーズ容器１のその長手方向重心位置Ｇ近傍で、マヨネーズ容器胴部３を取り巻くように、大きさＳ２に設定されている。上記支持台はその外周を取り巻く面積Ｓ１が上記リングの外周を取り巻く面積Ｓ２と同等またはやや大きくし、支持台１０のエッジＥから上方に延びる垂線Ｈと該エッジＥとマヨネーズ容器１の重心Ｇを結ぶ線分のなす角度αが３０°以上となっている。マヨネーズ容器１を安定して倒立させるためである。
【００１２】
また、支持台の収納孔１１はリング３０から挿通されるマヨネーズ容器１の先端キャップ２を遊かん状態で収納させる。これにより、マヨネーズ容器１の傾斜時に容器先端が収納孔１１に潜り込んでマヨネーズ容器１の重心Ｇを下げ倒れにくくする。
【００１３】
本例の支持台１０は卓上においてマヨネーズ容器１を倒立させて支持するので、使用に便利である。また、支持台１０が汚れても水道水で洗浄できるので、衛生を保つことができる。
【００１４】
図４は支持脚２０を一対で構成して支持リング３０を両側から支持するようにしたもので。その他は図３と同じであるから、同一部品には同一番号を付し、説明を省略する。
【００１５】
本考案の支持台は実施例では線材で構成したが板材で形成してもよい。線材で構成すると支持台の傾動の支点としてエッジが働きやすく、重心との傾動モーメントを大きくするので好ましい。
【００１６】
また、支持脚は倒立させたマヨネーズ容器内の内容量を目視しやすくするためであるから、支持脚を透明逆円錐筒で構成するようにしてもよい。この場合、筒の上端が支持リングを兼ねることになる。
【００１７】
本考案はマヨネーズ容器を例にしたが、これと同様の機能を有するケチャップ等の容器についても利用することができるのは言うまでもない。
【符号の説明】
【００１８】
１      マヨネーズ容器
２      先端
３      容器胴部
１０    支持台
１１    孔
１２    枠材
１３    連結枠
２０    支持脚
３０    支持リング
【図１】
0003150831.tif 000003
【図２】
0003150831.tif 000004
【図３】
0003150831.tif 000005
【図４】
0003150831.tif 000006